【手続補正書】
【提出日】平成18年10月20日(2006.10.20)
【手続補正１】
【補正対象書類名】明細書
【補正対象項目名】全文
【補正方法】変更
【補正の内容】
【書類名】      明細書
【発明の名称】  メダル送り出し装置
【特許請求の範囲】
【請求項１】  投入されたメダルが通過することのできる開口部を底部に設けたメダル受け部と、
前記メダル受け部の下側に設けられ、前記開口部からメダルを受けてこれを搬送するベルト及び前記メダル受け部と前記ベルトの間に設けられ、複数のメダルが重なっている場合に該複数のメダルを分離することのできる分離ローラを含む一括投入機構と、
前記一括投入機構を駆動する駆動部を制御する制御部とを備え、
前記制御部は、前記駆動部の駆動を開始した後、前記メダルが投入されるスロットマシンのクレジットが上限を超えてなく、且つ、ベット数が上限に達していない場合には、前記駆動部の駆動を継続し、
前記クレジットが上限を超えていない状態で、且つ、ベット数が上限に達した場合には、前記駆動部の駆動を停止することを特徴とするメダル送り出し装置。
【請求項２】  前記制御部は、前記一括投入機構においてメダルが詰まったときに、前記ベルトを逆方向に駆動することを特徴とする請求項１記載のメダル送り出し装置。
【請求項３】  前記制御部は、前記メダルが投入されるスロットマシンのゲーム中、前記駆動部の駆動を行わないことを特徴とする請求項１記載のメダル送り出し装置。
【請求項４】  前記制御部は、前記メダルが投入されるスロットマシンのリプレイ中、前記駆動部の駆動を行わないことを特徴とする請求項１記載のメダル送り出し装置。
【発明の詳細な説明】
【０００１】
【発明の属する技術分野】
この発明は、スロットマシンを含む遊技機などで用いられるメダル送り出し装置に関し、特に、その駆動系の制御手法に関するものである。
【０００２】
【従来の技術】
スロットマシン等の遊技機にはメダルの投入口が設けられている。遊技者は所定の枚数のメダルを投入してゲームを楽しむことができる。
【０００３】
従来の遊技機ではメダルを一枚づつ投入していった。これでは一度に多数のメダルを投入するときに手間がかかり不便である。しかし、一度に多数のメダルを投入できるようにすると、メダルが投入口あるいは排出口で詰まるという問題があった。また、回転型ホッパをメダル投入口に設けると水平方向に大きなスペースが必要という問題があった。
【０００４】
【発明が解決しようとする課題】
そこで、メダルを一度に投入することを可能にするとともに、投入されたメダルを自動的に送り出すことができるメダル送り出し装置が提案された。本メダル送り出し装置は新規なものであり、その駆動系の制御を適切に行うために新たな手法が必要である。
【０００５】
この発明は係る観点からなされたもので、ベット数が上限に達している場合に、一括投入機構の駆動部の駆動を停止して、それ以上のベットを禁止することができるメダル送り出し装置を提供することを目的とする。
【０００６】
【課題を解決するための手段】
この発明に係るメダル送り出し装置は、投入されたメダルが通過することのできる開口部を底部に設けたメダル受け部と、前記メダル受け部の下側に設けられ、前記開口部からメダルを受けてこれを搬送するベルト及び前記メダル受け部と前記ベルトの間に設けられ、複数のメダルが重なっている場合に該複数のメダルを分離することのできる分離ローラを含む一括投入機構と、前記一括投入機構を駆動する駆動部を制御する制御部とを備え、前記制御部は、図８のＳ６及びＳ７に示すように、前記駆動部の駆動を開始した後、前記メダルが投入されるスロットマシンのクレジットが上限を超えてなく、且つ、ベット数が上限に達していない場合には、前記駆動部の駆動を継続し、前記クレジットが上限を超えていない状態で、且つ、ベット数が上限に達したら前記駆動部の駆動を停止する。
【０００７】
好ましくは、前記制御部は、前記一括投入機構においてメダルが詰まったときに、前記ベルトを逆方向に駆動する。
【０００８】
好ましくは、前記制御部は、前記メダルが投入されるスロットマシンのゲーム中、前記駆動部の駆動を行わない。
【０００９】
好ましくは、前記制御部は、前記メダルが投入されるスロットマシンのリプレイ中、前記駆動部の駆動を行わない。
【００１０】
【発明の実施の形態】
発明の実施の形態１．発明の実施の形態に係るメダル送り出し装置について図面を参照して詳細に説明を加える。
【００１１】
図１は発明の実施の形態１に係るメダル送り出し装置の概要を示す図である。図１（ａ）は断面図、図１（ｂ）は斜視図である。図１（ａ）（ｂ）において駆動機構の表示を省略している。図１（ｂ）において、メダル受け部１等の表示を省略している。
【００１２】
図１（ａ）（ｂ）において、１は投入されたメダルが通過する開口部Ａが底部に設けられ、投入されたメダルを開口部Ａに案内する形状、例えば漏斗状の形状を有するメダル受け部、２は前記メダル受け部１の下側に設けられ、前記開口部Ａからメダルを受けてこれを搬送するベルト、３は前記メダル受け部１と前記ベルト２の間に設けられ、重なった状態で投入された複数のメダルを分離するためのローラである。ローラ３は前記ベルト２と略平行に設けられている。ローラ３とベルト２の間には隙間ｂが設けられている。この隙間ｂは、メダルを１枚ずつ搬送するときはメダル1枚の厚さよりも多少広く、メダル２枚分の厚さより狭くなっている。この場合、ベルト２によりメダルが１枚ずつ搬送される。隙間ｂの大きさは搬送するメダルの厚さ及び搬送枚数に応じて定められる。図中に矢印で示すように、隙間ｂにおいて、ローラ３は前記ベルト２の搬送方向と逆方向に動く。より詳しくは、ローラ３は、該ローラ３のベルト２の搬送方向に対向する側が、ローラ３に対向するベルト２の面の搬送方向とは逆方向に移動するように回転する。ローラ３がベルト２の搬送方向と逆方向に動くとは、このようなことをいう。
【００１３】
４は前記ベルト２の終端に設けられ、搬送されたメダルを所定の方向に誘導するメダルガイドである。６はベルト２を駆動するためのローラである。７は開口部Ａにあるメダルをベルト２上に誘導するためのメダルガイドである。
【００１４】
５はメダル受け部１の開口部Ａの近傍でメダルの有無を検知する投入口メダルセンサである。メダルセンサ５はメダルを構成する金属に反応する金属センサである。例えば、メダルに接触してこれに電気を流し、その電気抵抗の大きさによりメダルの有無及び／又はメダルの種類を判定するセンサである。例えば、渦電流を利用して非接触でメダルの有無を判定するセンサである。この場合、メダルのみを検知することができ、タバコやライターなどメダルと関係ない小物が投入口に置かれてもこれらをメダルと区別することができる。メダルセンサ５は光学式のセンサであってもよい。例えば、メダルの表面で反射した（あるいはメダルにより遮蔽された）光を検出することにより、メダルの有無を判定するセンサである。この場合、メダルの材質の違いによる誤動作はない。
【００１５】
図２は、図１のメダル送り出し装置１００を遊技機（スロットマシン）に適用した例を示す。メダル送り出し装置１００により投入されたメダルをメダルセレクタやメダル内部貯留装置やホッパーに送ることができる。
【００１６】
スロットマシン１０は、図２に示すように、四角箱状の筐体１１を有する。前記筐体１１の中央部及び上部には、遊技者側に向かって臨む四角窓状の表示窓１２が形成されている。そして、この中央部の表示窓１２の中央には、三個の回転リール４０の図柄６１を見ることができる図柄表示窓１３が形成されている。ペットスイッチ１６は、回転リール４０の下方に位置するスイッチであって、貯留メダル数を減じてメダル投入に代える。精算スイッチ１７は、回転リールの斜め下方に位置するスイッチであって、貯留した投入メダルを払い出す。スタートスイッチ３０は回転リール４０の斜め下方に位置するレバーであって、遊技メダルの投入若しくはペットスイッチ１６の投入を条件に、リールユニット６０の駆動を開始させる。ストップスイッチ５０は、リールユニット６０の駆動を停止させるためのものである。リールユニット６０は、三個の回転リール４０とから構成されている。そして、各回転リール４０は、合成樹脂からなる回転ドラムと、この回転ドラムの周囲に貼付されるテープ状のリールテープ４２とを備えている。このリールテープ４２の外周面には、複数個（例えば２１個）の図柄６１が表示されている。
【００１７】
図３はメダル送り出し装置１００のメダル投入口付近を斜め上から見た状態を示す。１０１はスタート／ストップスイッチである。このスイッチ１０１を操作することによりメダル送り出し装置１００が動作／停止する。遊戯者が多数のメダルをメダル受け部１に投入すると、メダルは漏斗状のメダル受け部１の斜面を滑って開口部Ａに到達し、そこからベルト２上に落下する。開口部Ａの大きさは複数のメダルが容易に落下する程度に、やや大きめになっている。したがって、１、２枚程度のメダルを投入したときはもちろん、多数のメダルを同時に投入したときでも何枚かは確実にベルト２に落下し、搬送される。後述のように、開口部Ａを通って複数のメダルがベルト２に落下してもメダルは１枚ずつ搬送される（メダルセレクタにおいてメダルを検査・選別したり、枚数を計数するために、メダルは１枚ずつ搬送されることが望ましい）。なお、メダル受け部１は着脱可能としてもよい。メダル送り出し装置１００の内部にメダルの一括投入機構が設けられている。
【００１８】
図４はメダル送り出し装置１００を斜め上から見た図である。点線で示すように、メダル受け部１の裏面に２つのセンサ５ａ，５ｂが設けられている。これらのセンサ５ａ，５ｂはメダル受け部１の開口部Ａ近傍に置かれたメダルを検出する。
【００１９】
図５はメダル受け部１を外した状態を示す。メダル受け部１の裏側に２つのセンサ５ａ，５ｂが設けられている。開口部Ａの下側にメダルガイド７が設けられていることがわかる。
【００２０】
図６は１枚のメダルＭが投入された場合を示す。図６において、メダル受け部１の開口部Ａを通ったメダルＭはベルト２上に落下する。ベルト２は矢印の方向に動いているので、メダルＭの先端も同じ方向に移動する。そして、メダルＭの他端もベルト２上に落下する。ベルト２とローラ３の隙間はメダル１枚の厚さよりも広いので、メダルＭはベルト２により搬送され、ベルト２の端部に到達する。そして、メダルＭはベルト２の端部からメダルガイド４に沿って落下する。そして、図示しないメダルセレクタに導かれる。
【００２１】
複数（２枚）のメダルＭ、Ｍ'が投入された場合、下側のメダルＭは同様に搬送されるが、メダルＭ'はベルト２に接触しない。代わりに上側のメダルＭ'はローラ３に接触し、やや上に持ち上げられるとともに開口部Ａ側に押し戻される。メダルＭ'は、メダルＭが搬送される間、開口部Ａ内にある。このようにメダルＭ'はメダルＭと分離される。メダルＭが搬送されると、メダルＭ'は少し落下して図６のメダルＭと同じ状態になる。そして、メダルＭ'も同様に搬送される。
【００２２】
ローラ３がない場合について考えてみる。メダルが２枚重なった状態で投入されると、そのままベルト２により搬送されてしまう。これではメダルセレクタにおいてメダルが詰まるおそれがある。ローラ３の代わりに板を用いてメダル１枚分の隙間を設ける場合について考えてみる。メダルが２枚重なった状態で投入されると、２枚一緒にベルトで搬送される。すると隙間部分でメダルが詰まるおそれがある。したがって、複数のメダルが同時に投入されたときメダル詰まりを起こすことなくメダルを１枚ずつ搬送するためには、例えば、ローラ３を設けることが望ましい。
【００２３】
図７はこの発明の実施の形態に係るメダル送り出し装置のブロック図を示す。投入口のメダルセンサ５からの信号及び／又はスイッチ１０１からの信号に基づき、制御部１０２は一括投入機構の駆動部１０３（例えば、ローラ３、６を回転させる図示しないモータ）を駆動する。さらに、この装置は、一括投入機構駆動部１０３にかかる負荷を検出する負荷検出部１０４と、分離手段３に加えられる圧力を検出する分離手段圧力検出部と、搬出口に設けられてメダルが一括投入装置から送り出されたことを検出する搬出口メダルセンサ１０６とを備える。負荷検出部１０４は、例えば駆動部１０３のモータの電流値に基づき負荷の状態を検出する。あるいはモータのトルクを直接検出してもよい。分離手段圧力検出部１０５は、例えばローラ３の支持部に加えられる力を検出するセンサであり、ローラ３にメダルがぶつかったときの衝撃やベルト上を搬送されるメダルによる押し上げ力を検出する。搬出口メダルセンサ１０６は、例えばメダルガイド４とローラ６の間に設けられたセンサ（投入口のセンサ５と同様のもの）である（後述の図１３及びその説明を参照）。
【００２４】
次に、本発明の実施の形態に係るメダル送り出し装置の動作について説明する。まず、図８に基づきセンサからの信号に基づく一括投入装置の駆動手順について説明する。
Ｓ１：センサ５から信号を受ける。
Ｓ２：受けた信号に基づき投入口Ａ部分にメダルが投入されたかどうか判定する。
Ｓ３：メダルが投入された場合、一括投入装置を駆動する。これにより投入されたメダルはメダルセレクタを通ってメダルホッパに搬送される。
【００２５】
ただし、クレジットの限度を超える場合にそれ以上クレジットを増やすことは好ましくないので、クレジットの限度を超える場合は一括投入装置の駆動を停止する。クレジットの信号はスロットマシン内の図示しない制御部（マイクロコンピュータ）から送られる。同様に、内部ホッパが満杯の場合も一括投入装置の駆動を停止する。ホッパの満杯信号は図示しないホッパ内のセンサから送られる。これらに関するＳ４〜Ｓ１０の処理を説明する。
Ｓ４：エラーＥ１〜Ｅ５が発生しているかどうか判定する。エラーが発生した場合、一括投入装置の駆動を停止する（Ｓ１１）。エラーＥ１〜Ｅ５の詳細を図９に示す。エラーＥ１〜Ｅ５のいずれかが発生すると、遊技メダル払い出し枚数表示機にエラーが表示され、遊技は不可能になる。この状態は所定の解除手順が実行されるまで継続され、解除手順が実行されると異常発生前の状態に復帰する。
Ｓ５：モーターが起動しており、かつ一定時間にメダルの投入が検出されないかどうか判定する。ＹＥＳの場合、メダルづまりなどの異常が考えられるので一括投入装置の駆動を停止する（Ｓ１１）。
Ｓ６：クレジットの枚数が限度（５０枚）に達しているかどうか判定する。ＹＥＳの場合、それ以上のクレジットを禁止するために一括投入装置の駆動を停止する（Ｓ１１）。
Ｓ７：ベット数が上限に達しているかどうか判定する。ベット（ＢＥＴ）とはスロットマシンにおいてメダルをかけることである。１プレイ１Betが基本であるが、マシンによっては２Betから等の制限があることがある。ＹＥＳの場合、それ以上のベットを禁止するために一括投入装置の駆動を停止する（Ｓ１１）。
Ｓ８：ゲーム中であるかどうか判定する。ゲーム中とは、スタートスイッチ３０がオンされてリールが回転し、その後リールが停止するまでの間である。ゲーム中であれば一括投入装置の駆動を停止する（Ｓ１１）。
Ｓ９：リプレイ中であるかどうか判定する。リプレイ中であればメダルを投入する必要はないので一括投入装置の駆動を停止する（Ｓ１１）。
Ｓ１０：センサ５からの信号に基づき投入口部分にメダルがなくなったかどうか判定し、メダルがなくなったとき一括投入装置の駆動を停止する（Ｓ１１）。
【００２６】
以上の手順によれば、投入口部分にメダルが投入されたとき、一括投入装置を駆動してメダルをメダルホッパへ自動的に搬送することができる。
【００２７】
次に、図１０及び図１１に基づき一括投入装置の駆動手順について説明する。図１０はメダルを挟んだときなどにベルトを逆回転させる処理フローチャート、図１１はメダルが一度に多量（大量）に投入されたときなどにベルトの速度を上げる処理フローチャートである。
【００２８】
ここで、本発明において、「多量（大量）のメダルが投入されたとき」とは、「通常、一度に普通に投入されるメダルの量を超える量、あるいは著しく超える量のメダルが投入されたとき」や、「連続してある一定範囲の量のメダルの投入を行っている途中でその範囲を超える量のメダルの投入を行ったとき」などをいう。具体的には、例えば、通常一度に普通に投入されるメダルの量から、上限量（所定量）を決め、この上限量（所定量）を超えるとき、すなわち「所定量を超えるメダルが投入されたとき」としたり、単に上限量（所定量）を決め、この上限量（所定量）を超えるとき、すなわち「所定量を超えるメダルが投入されたとき」などとすることができる。Ｓ２０：投入口にメダルがあるのにメダルが排出されないかどうか判定する。
【００２９】
ここで、下記の条件のすべてを満足するときにＹＥＳと判定される。ＹＥＳと判定されると処理Ｓ２３を行う。
・投入口メダルセンサ５により投入口においてメダルが検出されている。
・制御部１０２により駆動部１０３が駆動されている。
・搬出口メダルセンサ１０６によりメダルの搬出が検出されない。
【００３０】
搬出口メダルセンサ１０６を備えない場合、下記の条件のときにＹＥＳと判定される。
・制御部１０２により駆動部１０３が駆動されている。
・投入口メダルセンサ５により投入口においてメダルが検出されているが、これが一定である（断続しない）。または長時間検出されたままになっている。
Ｓ２１：駆動部１０３の負荷が所定値（第１閾値）以上（過負荷）であるかどうか判定する。
【００３１】
負荷検出部１０４により検出された駆動部１０３の負荷が第１閾値以上であるときにＹＥＳと判定される。例えば、駆動部１０３のモータの電流値を測定し、これが所定値以上のとき過負荷と判断する。ＹＥＳのときは処理Ｓ２３を実行する。
Ｓ２２：分離手段３に加えられる圧力が変化しないかどうか判定する。
【００３２】
通常の状態において、分離手段（ローラ）３には断続的な圧力が加えられている。例えば、分離手段に投入されたメダルが衝突したり、ベルト搬送中に衝突したり、重なったメダルにより上に持ち上げられたりする。この圧力は分離手段圧力検出部１０５により検出される。この圧力が断続せず一定であるとすれば、メダルの動きが止まった状態、すなわちメダルがベルト２とローラ３の間に挟まった状態と考えられる。このような状態のときＹＥＳと判定され、処理Ｓ２３を実行する。
Ｓ２３：Ｓ２０〜Ｓ２２でメダルが詰まったと判定されたとき、制御部１０２は駆動部１０３を所定時間だけ逆向きに駆動する。これにより挟まったメダルを戻して通常の状態に復帰させることができる。
【００３３】
なお、Ｓ２３の処理の回数に上限を設けて、所定回数以上繰り返しても同様な状態になるとき、一括投入装置の駆動を停止させるようにしてもよい。
【００３４】
次に、図１１のフローチャートについて説明する。
Ｓ３０：投入口にメダルが大量に投入されたかどうか判定する。
【００３５】
投入口メダルセンサ１０６の出力が対象物の量に応じたアナログ値を出力する場合、その出力レベルに基づき投入されたメダルの量を判定できる。レベルが所定値以上であるときＹＥＳと判定し、処理Ｓ３２を実行してベルトの回転を速くする。
Ｓ３１：駆動部１０３の負荷が所定値（第２閾値）以上であるかどうか判定する。
【００３６】
メダルが大量に投入され、ベルトにかかる張力が一定以上に（重く）なったとき、駆動部１０３の負荷が高まる。この場合、ＹＥＳと判定する。この状態は上記Ｓ２１に該当しない場合であって、所定以上の負荷がかかっていることを意味する。すなわち、処理可能な範囲内ではあるが、一度に大量のメダルが投入されたときである。このような場合、ベルトを速く動かしメダルを速やかに搬送することが好ましい。例えば、第１閾値＞第２閾値である。
Ｓ３２：Ｓ３０、Ｓ３１でメダルが大量に投入されたと判定されたとき、制御部１０２はベルトの速度を所定時間だけ速くする。これによりメダルを迅速に搬出して滞貨をなくし、メダル詰まりを防止できる。
【００３７】
なお、Ｓ３２の処理の回数に上限を設けて、所定回数以上繰り返しても同様な状態になるとき、一括投入装置の駆動を停止させるようにしてもよい。
【００３８】
本発明の実施の形態によれば、メダルが詰まったときやメダルがローラ３とベルト２の間に挟まったときにベルトを逆回転させることができる。これによりメダル詰まりなどを解消して正常状態に復帰させることができる。また、メダルが大量に投入されたときベルトを速く動かすことができる。これにより大量のメダルを処理することができる。
発明の実施の形態２．投入口メダルセンサ５又は搬出口メダルセンサ１０６として光学式センサ（透過型フォトセンサ）を用いた具体例について説明する。
【００３９】
図１２は透過型フォトセンサを用いたものである。コの字型のフォトセンサが開口部Ａの上下に設けられている。メダルは開口部Ａを図面紙面に対して垂直方向に移動する。フォトセンサ５は発光素子を備える部分５−Ｕと受光素子を備える部分５−Ｌを含む。開口部Ａのうち部分５−Ｕ側には、図示しない発光素子の光を通過させるためのスリットＳが設けられている。同様に、開口部Ａの部分５−Ｌ側には、受光素子５−Ｓに光を導くためのスリットＳが設けられている。スリットＳは、例えばメダル受け部１を形成する樹脂製の部材に穴を設けることにより形成される。部分５−Ｕの発光素子の光はスリットＳを通って受光素子５−Ｓに入射する。図１２の透過型フォトセンサの光軸Ｌは斜めになっている。これに合わせて、５−Ｕ側のスリットに対して５−Ｌ側のスリットは少しずれて配置されている。係る構造により上側のスリットＳを通り抜けたゴミなどがセンサ５−Ｓに付着することはない。これにより動作不良を防止することができる。
【００４０】
図１３及び図１４は発明の実施の形態２に係る光学式センサの取り付け状態の説明図である。図１３はメダル受け部１の断面を示し、図１４はメダル受け部１を上から見た図を示す。また、図１４には光学式センサを搬出口メダルセンサ１０６として取りつけた状態も示す。
【００４１】
メダルが投入されていないとき開口部Ａにはメダルが存在しない。発光素子からの光は図１２に示すように受光素子５−Ｓに入射するので、受光素子５−Ｓは受光信号を出力する。一方、メダルが投入されたとき開口部Ａ内にメダルが進入するので光軸Ｌは遮られる。受光素子５−Ｓは受光信号を出力しない。これを図示しないマイクロコンピュータで検出することにより、メダルの有無を判定することができる。
発明の実施の形態３．投入口メダルセンサ５又は搬出口メダルセンサ１０６として光学式センサ（反射型フォトセンサ）を用いた具体例について説明する。本実施の形態は、ベルト式機構とスライド式機構のいずれの場合にも適用できる。
【００４２】
図１５は反射型フォトセンサを用いたものである。フォトセンサ５が開口部Ａの上側（又は下側でもよい）に設けられている。メダルは開口部Ａを図面紙面に対して垂直方向に移動する。フォトセンサ５は発光素子及び受光素子を備える。開口部Ａの上下には図示しない発光素子の光を通過させるためのスリットが設けられている。スリットＳは、例えばメダル受け部１を形成する樹脂製の部材に穴を設けることにより形成される。Ｌは光軸である。発光素子の光はスリットＳを通って開口部Ａを通過し、センサ５の反対側に抜ける。
【００４３】
図１６及び図１７は発明の実施の形態３に係る光学式センサの取り付け状態の説明図である。図１６はメダル受け部１の断面を示し、図１７はメダル受け部１を上から見た図を示す。
【００４４】
メダルが投入されていないとき開口部Ａにはメダルが存在しない。発光素子からの光は図１６に示すように開口部Ａを通過し、センサ５に設けられた図示しない受光素子に戻らない。受光素子は受光信号を出力しない。一方、メダルが投入されたとき開口部Ａ内にメダルが進入し、光軸Ｌ上にメダルが存在するようになる。すると発光素子の光はメダル上で反射され、その一部が受光素子に入射する。その結果、受光素子は受光信号を出力する。これを図示しないマイクロコンピュータで検出することにより、メダルの有無を判定することができる。
【００４５】
なお、図１２に示すように、上側のスリットに対して下側のスリットを少しずらして配置するようにしてもよい。また、開口部Ａの内面が光を反射しない（例えば黒色に着色してある）とき、図１５の下側のスリットを設けなくてもよい。
【００４６】
本発明の用途として、実施の形態では遊技機（スロットマシン）に適用した例を挙げたが、本発明はこれに限定されない。例えば、自動販売機の硬貨の投入及び／又は返却用、金融機関の現金自動預け払い機などにも適用できる。
【００４７】
本発明は、以上の実施の形態に限定されることなく、特許請求の範囲に記載された発明の範囲内で、種々の変更が可能であり、それらも本発明の範囲内に包含されるものであることは言うまでもない。
【００４８】
【発明の効果】
以上のように、本発明によれば、ベット数が上限に達している場合に、一括投入機構の駆動部の駆動を停止して、それ以上のベットを禁止することができる。
【図面の簡単な説明】
【図１】  発明の実施の形態１に係るメダル送り出し装置の概要図である。図１（ａ）は断面図、図１（ｂ）は斜視図である。
【図２】  発明の実施の形態１に係るメダル送り出し装置を遊技機（スロットマシン）に適用した例を示す図である。
【図３】  発明の実施の形態１に係るメダル送り出し装置を斜め上から見た状態を示す図である。
【図４】  発明の実施の形態１に係るメダル送り出し装置を上方から見た図である。
【図５】  発明の実施の形態１に係るメダル送り出し装置のメダル受け部を外した状態を示す図である。
【図６】  発明の実施の形態１に係るメダル送り出し装置の動作説明図である。
【図７】  発明の実施の形態１に係るメダル送り出し装置の機能ブロック図である。
【図８】  発明の実施の形態１に係るメダル送り出し装置の動作フローチャートである。
【図９】  発明の実施の形態１に係るエラーの種類の説明図である。
【図１０】  発明の実施の形態１に係るメダル送り出し装置の逆回転動作フローチャートである。
【図１１】  発明の実施の形態１に係るメダル送り出し装置の高速回転動作フローチャートである。
【図１２】  発明の実施の形態２に係る投入口メダルセンサの概略図である。
【図１３】  発明の実施の形態２に係るメダル送り出し装置の概略断面図である。
【図１４】  発明の実施の形態２に係る投入口メダルセンサの取り付け状態の説明図である。
【図１５】  発明の実施の形態３に係る投入口メダルセンサの概略図である。
【図１６】  発明の実施の形態３に係るメダル送り出し装置の概略断面図である。
【図１７】  発明の実施の形態３に係る投入口メダルセンサの取り付け状態の説明図である。
【符号の説明】
１  メダル受け部
２  ベルト
３  ローラ
４  メダルガイド
５  投入口メダルセンサ
６  ベルト用ローラ
７  メダルガイド
１００  メダル送り出し装置
１０１  スタート／ストップスイッチ
１０２  制御部
１０３  一括投入機構駆動部
１０４  負荷検出部
１０５  分離手段圧力検出部
１０６  搬出口メダルセンサ
Ａ  メダル受け部の開口部
Ｌ  フォトセンサ光軸
Ｍ  メダル
Ｓ  スリット